(57)【要約】【課題】送話用とノイズキャンセリング用のマイクロフォンを規定された配置条件を満たしつつ、高い遮音性能を有してそれぞれ設置することが可能であり、さらにレイアウトの自由度を向上させることができる携帯端末、該携帯端末が備えるバッテリーパック及び該携帯端末のマイクロフォン配置方法を提供する。【解決手段】携帯端末が備えるバッテリーパックにマイクロフォンを内蔵し、該内蔵マイクロフォンをノイズキャンセリング用または録音用のマイクロフォンとして用いる。【選択図】図２
2014003532.tif 000002
【特許請求の範囲】
【請求項１】
ノイズキャンセリング機能を有する携帯端末であって、
ユーザによる通話時に前記ユーザの送話音声を収音するための第１マイクロフォンが設けられた本体部と、
前記ノイズキャンセリング機能の実現に用いられる、環境音を収音するための第２マイクロフォンを内蔵し、前記本体部に所要の電力及び前記第２マイクロフォンの出力信号を供給するバッテリーパックと、
を有する携帯端末。
【請求項２】
前記本体部における前記第１マイクロフォンの配置面を前記本体部の表面としたとき、
前記第２マイクロフォンが、
前記バッテリーパックが前記本体部に収納された状態で、その収音面が前記本体部の背面を向くように、前記バッテリーパック内に設置された請求項１記載の携帯端末。
【請求項３】
前記第２マイクロフォンが、
前記本体部に対する前記バッテリーパックの収納時に、前記第１マイクロフォンの位置に対して前記ノイズキャンセリング機能のために予め規定された配置条件を満たす位置に設置された請求項１または２記載の携帯端末。
【請求項４】
前記バッテリーパックに２つの前記第２マイクロフォンが所定の距離を有して内蔵され、２つの前記第２マイクロフォンが、前記本体部によるステレオフォニックの録音で用いられる請求項１から３のいずれか１項記載の携帯端末。
【請求項５】
ノイズキャンセリング機能を有する携帯端末が備える、ユーザによる通話時に前記ユーザの送話音声を収音するための第１マイクロフォンを含む前記携帯端末の本体部に所要の電力を供給するためのバッテリーパックであって、
前記ノイズキャンセリング機能の実現に用いられる、環境音を収音するための内蔵マイクロフォンと、
前記内蔵マイクロフォンの出力信号を前記本体部に供給するための端子と、
を有するバッテリーパック。
【請求項６】
前記本体部における前記第１マイクロフォンの配置面を前記本体部の表面としたとき、
前記本体部に収納された状態で、前記内蔵マイクロフォンが、その収音面が前記本体部の背面を向くように設置された請求項５記載のバッテリーパック。
【請求項７】
前記第２マイクロフォンが、
前記本体部に対する収納時に、前記第１マイクロフォンの位置に対して前記ノイズキャンセリング機能のために予め規定された配置条件を満たす位置に設置された請求項５または６記載のバッテリーパック。
【請求項８】
２つの前記第２マイクロフォンを所定の距離を有して内蔵し、
２つの前記第２マイクロフォンが、前記本体部によるステレオフォニックの録音で用いられる請求項５から７のいずれか１項記載のバッテリーパック。
【請求項９】
携帯端末によりノイズキャンセリング機能を実現するためのマイクロフォン配置方法であって、
前記携帯端末の本体部に、ユーザによる通話時に前記ユーザの送話音声を収音するための第１マイクロフォンを設け、
前記本体部に所要の電力を供給するバッテリーパックに、前記ノイズキャンセリング機能の実現に用いられる、環境音を収音するための第２マイクロフォンを内蔵し、
前記バッテリーパックから前記本体部に前記第２マイクロフォンの出力信号を供給する携帯端末のマイクロフォン配置方法。
【発明の詳細な説明】
【技術分野】
【０００１】
本発明は、複数のマイクロフォンを備えた携帯端末、該携帯端末が備えるバッテリーパック及び該携帯端末のマイクロフォン配置方法に関する。
【背景技術】
【０００２】
近年、周囲の環境音を打ち消して高品質な通話や音声再生を可能にするノイズキャンセリング技術が開発され、スマートフォンを含む携帯電話機等でも採用されつつある。このようなノイズキャンセリング機能を備えた携帯電話機を用いると、例えば周囲の環境音（騒音）にじゃまされず通話できるようになる。
【０００３】
ノイズキャンセリング機能では、携帯電話機に複数のマイクロフォンを搭載し、送話に利用しないマイクロフォンで周囲の環境音を収音し、デジタル信号処理により送話音声や受話音声に含まれる環境音の成分を打ち消すことで、該送話音声や受話音声を明瞭にする。一般的に、送話には携帯電話機の表面（表示面）側に設けられたマイクロフォン（以下、第１マイクロフォンと称す）が用いられ、環境音の収音には携帯電話機の背面側に設けられたマイクロフォン（以下、第２マイクロフォンと称す）が用いられる。ここで、良好なノイズキャンセリング効果を得るためには、第１マイクロフォンと第２マイクロフォンの位置関係が厳しく規定される。
【０００４】
しかしながら、多くの場合、第１マイクロフォンの位置は、ユーザの送話音声を効率よく収音できるように、ユーザの口元に近い携帯電話機表面側の一方の端部に限定される。一方、携帯電話機の背面ではバッテリーパックが大きな面積を占めるため、第２マイクロフォンの位置は該バッテリーパックを避けた部位に制限される。
【０００５】
したがって、第２マイクロフォンを、バッテリーパックを避けつつ、第１マイクロフォンに対して予め規定された条件（位置関係）で配置すると、該第２マイクロフォンや他の部品（例えば、回路基板、カメラモジュール、メモリソケット等）のレイアウトの自由度が制限され、さらに携帯電話機のサイズや意匠の自由度も低下してしまう。
【０００６】
ところで、第２マイクロフォンは、上述したようにユーザの通話時には環境音の収音に用いられるが、例えばユーザが携帯電話機の背面に設けられたカメラモジュールを用いて動画像を録画する場合は、その被写体等から得られる音声を録音するためにも用いられる。その場合、録画中にオートフォーカスやズーム操作等によってカメラモジュールのレンズが移動すると、該レンズを移動させるための駆動モーター音やレンズの移動音が第２マイクロフォンで収音されて録音品質が低下するおそれがある。そのため、第２マイクロフォンは、自装置内で発生する騒音に対して十分な遮音性能を有して設置する必要がある。この遮音性能は、エコーやハウリングを防止するためにも必要である。
【０００７】
さらに、動画像の録画と共にステレオフォニックによる録音を実現する場合、カメラモジュールが配置された携帯電話機の面（多くの場合、背面）には、左右の音声を録音するために２つの第２マイクロフォンが配置される。その場合、左チャネルの音声と右チャネルの音声とを分離して録音するには、２つの第２マイクロフォンをできるだけ離して配置することが好ましい。しかしながら、上述したように携帯電話機の背面ではバッテリーパックが大きな面積を占めるため、そのような配置は困難である。
【０００８】
なお、録音用のマイクロフォンを、レンズを移動させるための駆動モーター音やレンズの移動音から音響的に遮蔽するための構成は、例えば特許文献１で提案されている。特許文献１には、レンズを移動させるための駆動モーターやレンズ鏡胴を含む駆動系が搭載される本体空間と、該本体空間と壁材で遮蔽された、バッテリーパック等が搭載される第２の空間とを備え、該第２の空間に録音用のマイクロフォンを配置した電子カメラが記載されている。
【０００９】
また、部品の実装容積が厳しく制限される折り畳み式の携帯電話機において、非接触ＩＣカードチップ用のアンテナの位置を工夫した構成が、例えば特許文献２で提案されている。特許文献２には、入力キーやバッテリーパックが搭載される第１筐体またはディスプレイ等が搭載される第２筐体のどちらをリーダ・ライタ端末にかざしても非接触ＩＣカードチップと通信できるように、該非接触ＩＣカードチップ用のアンテナを第１筐体と第２筐体とを結合するヒンジ部に配置することが記載されている。
【００１０】
同様に、部品の実装容積が厳しく制限される携帯電話機において、多機能化を実現するための構成が、例えば特許文献３で提案されている。特許文献３には、バッテリーパックにマイクロフォン、ヘッドフォン端子、スピーカー、メモリソケット等を搭載し、該バッテリーパック単体で音楽プレイヤーやボイスレコーダとして使用可能にすると共に、該バッテリーパックを本体部に取り付けた場合は携帯電話機として使用可能にした構成が記載されている。
【先行技術文献】
【特許文献】
【００１１】
【特許文献１】特開２００５−１９７７８８号公報
【特許文献２】特開２００７−２１４７４０号公報
【特許文献３】特開２００１−００７９００号公報
【発明の概要】
【発明が解決しようとする課題】
【００１２】
上述したようにノイズキャンセリング機能を備えた携帯電話機等の携帯端末では、良好なノイズキャンセリング効果を得るために、送話用の第１マイクロフォンとノイズキャンセリング用の第２マイクロフォンの位置関係が厳しく規定されている。一方、第２マイクロフォンが配置される携帯端末の背面側では、バッテリーパックが大きな面積を占めているため、第２マイクロフォンを、バッテリーパックを避けつつ、第１マイクロフォンに対して予め規定された配置条件（位置関係）で設置すると、該第２マイクロフォンや他の部品のレイアウトの自由度が制限され、さらに携帯端末のサイズや意匠の自由度も低下する問題がある。
【００１３】
また、第２マイクロフォンは、カメラモジュール等で発生する騒音、あるいは受話レシーバーやスピーカー等の出力音声を収音しないように、十分な遮音性能を有して設置する必要があり、ステレオフォニックで録音する場合は２つの第２マイクロフォンをできるだけ離して配置することが好ましい。
【００１４】
したがって、これら配置条件や遮音性能を満たしつつ、マイクロフォンや他の部品のレイアウトの自由度を向上させることができる技術が望まれる。
【００１５】
本発明は上述したような背景技術が有する問題点を解決するためになされたものであり、送話用及びノイズキャンセリング用のマイクロフォンを規定された配置条件を満たしつつ、高い遮音性能を有してそれぞれ設置することが可能であり、さらにレイアウトの自由度を向上させることができる携帯端末、該携帯端末が備えるバッテリーパック及び該携帯端末のマイクロフォン配置方法を提供することを目的とする。
【課題を解決するための手段】
【００１６】
上記目的を達成するため本発明の携帯端末は、ノイズキャンセリング機能を有する携帯端末であって、
ユーザによる通話時に前記ユーザの送話音声を収音するための第１マイクロフォンが設けられた本体部と、
前記ノイズキャンセリング機能の実現に用いられる、環境音を収音するための第２マイクロフォンを内蔵し、前記本体部に所要の電力及び前記第２マイクロフォンの出力信号を供給するバッテリーパックと、
を有する。
【００１７】
また、本発明のバッテリーパックは、ノイズキャンセリング機能を有する携帯端末が備える、ユーザによる通話時に前記ユーザの送話音声を収音するための第１マイクロフォンを含む前記携帯端末の本体部に所要の電力を供給するためのバッテリーパックであって、
前記ノイズキャンセリング機能の実現に用いられる、環境音を収音するための内蔵マイクロフォンと、
前記内蔵マイクロフォンの出力信号を前記本体部に供給するための端子と、
を有する。
【００１８】
さらに、本発明の携帯端末のマイクロフォン配置方法は、携帯端末によりノイズキャンセリング機能を実現するためのマイクロフォン配置方法であって、
前記携帯端末の本体部に、ユーザによる通話時に前記ユーザの送話音声を収音するための第１マイクロフォンを設け、
前記本体部に所要の電力を供給するバッテリーパックに、前記ノイズキャンセリング機能の実現に用いられる、環境音を収音するための第２マイクロフォンを内蔵し、
前記バッテリーパックから前記本体部に前記第２マイクロフォンの出力信号を供給する方法である。
【発明の効果】
【００１９】
本発明によれば、送話用の第１マイクロフォン及びノイズキャンセリング用の第２マイクロフォンを規定された配置条件を満たしつつ、高い遮音性能を有してそれぞれ設置することが可能であり、さらには各部品のレイアウトの自由度を向上させることができる。
【図面の簡単な説明】
【００２０】
【図１】本発明の携帯端末が備えるバッテリーパックの一構成例を示す斜視図である。
【図２】図１に示したバッテリーパックが携帯端末に収納される様子を示す斜視図である。
【図３】図１に示したバッテリーパックを携帯端末に収納した状態における内蔵マイクロフォン近傍の構造例を示す断面図である。
【図４】図１に示したバッテリーパックを携帯端末に収納した状態における内蔵マイクロフォン近傍の他の構造例を示す断面図である。
【図５】図１に示したバッテリーパックと携帯端末間の接続例を示す模式図である。
【図６】図２に示した携帯端末の表面側の構成例を示す斜視図である。
【図７】ノイズキャンセリング機能の実現に必要なマイクロフォンの配置条件の一例を示す模式図である。
【図８】ノイズキャンセリング機能の実現に必要なマイクロフォンの配置条件の一例を示す模式図である。
【図９】図１に示した内蔵マイクロフォンの配置例を示す模式図である。
【発明を実施するための形態】
【００２１】
次に本発明について図面を用いて説明する。
【００２２】
本発明では、携帯端末が備えるバッテリーパックにマイクロフォンを内蔵し、該内蔵マイクロフォンをノイズキャンセリング用や録音用のマイクロフォン（上記第２マイクロフォン）として利用する。
【００２３】
図１は、本発明の携帯端末が備えるバッテリーパックの一構成例を示す斜視図である。
【００２４】
以下では、携帯電話機を例にして本発明の携帯端末の構成や動作を説明するが、本発明は、音声通話が可能であり、動画像の録画と共に音声を録音する機能を備えた構成であれば、その他の携帯端末にも適用できる。そのような携帯端末としては、例えば携帯電話機、ノート型やタブレット型のパーソナルコンピュータ、ＰＨＳ（Personal Handyphone System）、ＰＤＡ（Personal Data Assistance，Personal Digital Assistants：個人向け携帯型情報通信機器）、ゲーム機等が考えられる。
【００２５】
図１に示すように、バッテリーパック１は、バッテリーセル１１、電池保護回路部１２、内蔵マイクロフォン１３、導電パッド１４及び外枠１５を備える。
【００２６】
バッテリーセル１１は、例えばリチウムイオン電池等の二次電池である。
【００２７】
電池保護回路部１２は、バッテリーセル１１に対する充放電を制御すると共に、バッテリーセル１１の蓄電量や温度異常等を監視し、その監視結果を出力する。電池保護回路部１２は、バッテリーセル１１の端子間電圧や充放電電流を測定するための抵抗器、バッテリーセル１１の温度を検出するためのサーミスタ等を含む、既存のバッテリー保護用ＩＣ（Integrated Circuit）で実現できる。
【００２８】
内蔵マイクロフォン１３は、ノイズキャンセリング用や録音用の上記第２マイクロフォンとして用いられる。内蔵マイクロフォン１３は、送話用の第１マイクロフォン２８（図６参照）の配置面を携帯端末の表面としたとき、バッテリーパック１が該携帯端末に収納された状態で、その収音面が該携帯端末の背面を向くように、バッテリーパック１内に設置される。内蔵マイクロフォン１３には、例えば周知のＥＣＭ（Electret Condenser Microphone）やシリコンマイク（一般に、ＭＥＭＳ（Micro Electro Mechanical System）マイクロフォンと呼ばれる）等を用いればよい。近年のＭＥＭＳマイクロフォンには、長手方向が３ｍｍ以下、短手方向が２ｍｍ以下、厚さが１ｍｍ以下の製品が開発されている。このような小型のマイクロフォンを用いれば、バッテリーパック１に内蔵マイクロフォン１３を容易に収納することができる。内蔵マイクロフォン１３のパッケージ形状は、例えば周知のＳＭＤ（Surface Mounted Device）でもよく、機械的に嵌め込み可能な形状にしてもよい。
【００２９】
外枠１５は、バッテリーセル１１、電池保護回路部１２、内蔵マイクロフォン１３等を収納する、樹脂等から成る容器である。外枠１５には、内蔵マイクロフォン１３の位置に対応して収音用の音孔１６が設けられている。
【００３０】
導電パッド１４は、図１に示したバッテリーパック１を収納する携帯端末（図２参照）に電力や信号を供給するための端子（パッド）であり、例えばバッテリーパック１の側面に設けられる。導電パッド１４には、該携帯端末に電力を供給するための電源端子である「＋端子」及び「−端子」、バッテリーセル１１の温度異常を監視するための「サーミスタ信号端子」、内蔵マイクロフォン１３の出力信号を携帯端末に供給するための「マイク信号端子」、内蔵マイクロフォン１３に電力を供給するための電源端子である「マイク電源端子」が含まれる。バッテリーパック１の出力電圧を内蔵マイクロフォン１３に直接供給できる場合、「マイク電源端子」は無くてもよい。内蔵マイクロフォン１３は、基板、フレキシブル基板、ワイヤーハーネス等を介して、「マイク信号端子」や「マイク電源端子」と接続される。
【００３１】
図２は、図１に示したバッテリーパックが携帯端末に収納される様子を示す斜視図である。
【００３２】
携帯端末２は、不図示の送話用の第１マイクロフォン２８、表示部２９及び受話レシーバー３１（図６参照）等を含む本体部３を有し、図２に示すように該本体部３の背面に設けられた収納スペースに図１に示したバッテリーパック１を収納することで、導電パッド１４を介して該バッテリーパック１から所要の電力や各種の信号が供給される構成である。本体部３の背面には、バッテリーパック１の収納スペースに対応して電池蓋２１が設けられている。電池蓋２１には、収納されるバッテリーパック１の音孔１６の位置に合せて音孔２２が設けられている。なお、図２は、本体部３背面の電池蓋２１を避ける位置に、例えばカメラモジュール（以下、カメラ部と称す）２５やスピーカー２４が配置された構成例を示している。
【００３３】
図３は図１に示したバッテリーパックを携帯端末に収納した状態における内蔵マイクロフォン近傍の構造例を示す断面図であり、図４は図１に示したバッテリーパックを携帯端末に収納した状態における内蔵マイクロフォン近傍の他の構造例を示す断面図である。
【００３４】
図３に示すように、内蔵マイクロフォン１３は、バッテリーパック１の外枠１５で覆われると共に、外枠１５に設けられた音孔１６周囲と内蔵マイクロフォン１３とが、例えば弾力性のあるテープ部材１７等を用いて封止された構成である。バッテリーパック１の音孔１６周囲と電池蓋２１の音孔２２周囲とは、例えばゴムやクッション等の弾性部材２３を用いて封止される。これにより、本体部３が備える受話レシーバー３１（図６参照）やスピーカー２４等の音響部品からの出力音声の回り込み、あるいはカメラ部２５の駆動系で発生する騒音を内蔵マイクロフォン１３で収音するのを抑制する。
【００３５】
携帯端末２が防水型である場合、例えば図４に示すように電池蓋２１の音孔２２に防水膜２６を設けることで、バッテリーパック１や該バッテリーパックの収納スペースに対する水の侵入を防止すればよい。
【００３６】
図５は、図１に示したバッテリーパックと携帯端末間の接続例を示す模式図である。
【００３７】
図５に示すように、本体部３の収納スペースには、収納時のバッテリーパック１の導電パッド１４の位置に対応してバネ接点２７が設けられている。バッテリーパック１が本体部３に収納されると、バネ接点２７の弾性力によりバネ接点２７が導電パッド１４に接触して押圧されることで、バッテリーパック１と本体部３とが電気的に接続される。
【００３８】
図６は、図２に示した携帯端末の表面側の構成例を示す斜視図である。図６は、携帯端末としてスマートフォンを例にして、その表面（表示面）側の構成例を示している。
【００３９】
図６に示すように、携帯端末２の本体部３表面（表示面）には、第１マイクロフォン２８、表示部２９及び受話レシーバー３１が配置されている。
【００４０】
第１マイクロフォン２８は、携帯端末２を用いたユーザの通話時に、該ユーザの送話音声を収音するマイクロフォンである。一般に、第１マイクロフォン２８は、ユーザの口元に近くなるように携帯端末２の表面の一方の端部（図６では下部）に配置される。これは、第１マイクロフォン２８をユーザの口元により近づけることで効率よくユーザの送話音声を収音するためである。
【００４１】
表示部２９は、携帯端末２の動作全体を制御する、本体部３に内蔵された制御部（不図示）から供給される画像信号にしたがって、文字、記号、画像等を表示する、液晶パネルや有機ＥＬパネル等のディスプレイである。表示部２９の表示面上には、文字や記号を入力するためのタッチパネルが設置されている。
【００４２】
なお、制御部は、ＣＰＵ、ＲＯＭ（Read Only Memory）、作業用メモリ、Ａ／Ｄコンバータ、Ｄ／Ａコンバータ、各種論理回路等を備えた情報処理装置（マイクロコンピュータ、情報処理用ＩＣ等）で実現できる。ＲＯＭには、例えば制御部で実行する各種の制御用プログラム（ソフトウェア）や制御部の処理で用いる各種のデータが保存される。作業用メモリには、例えば制御用プログラムにしたがって制御部が処理を実行する際に必要なデータが一時的に格納される。作業用メモリには、例えばＲＡＭ（Random Access Memory）が用いられる。制御部は、各種の制御用プログラムにしたがってＣＰＵが処理を実行することで、携帯端末２全体の動作を制御する。上述したノイズキャンセリング機能は、例えば制御部が所定のプログラムにしたがって処理を実行することで実現される。ノイズキャンセリング機能は、専用のプロセッサ等が演算処理することで実現してもよい。
【００４３】
受話レシーバー３１は、携帯端末２を用いたユーザの通話時に受話音声（通話相手の音声）を出力するスピーカーである。受話レシーバー３０は、一般に第１マイクロフォン２８が配置される一方の端部と表示部２９を挟んで対向する他方の端部に配置される。
【００４４】
図７及び図８は、ノイズキャンセリング機能の実現に必要なマイクロフォンの配置条件の一例を示す模式図である。
【００４５】
上述したように、携帯端末２がノイズキャンセリング機能を実現する場合、実用的なノイズ（環境音）減衰量を得るためには、携帯端末２の表面（表示面）に配置される第１マイクロフォン２８と携帯端末２の背面に配置される第２マイクロフォンの位置関係が厳しく規定されている。例えば、図７に示す第１マイクロフォン２８と第２マイクロフォン（内蔵マイクロフォン１３）のｘ軸方向における距離とｙ軸方向における距離とを加算した値は、概ね２０ｍｍ以上〜１８０ｍｍ以内と規定されている。さらに、第１マイクロフォン２８と第２マイクロフォン（内蔵マイクロフォン１３）の位置ずれ、すなわち図８に示すｚ軸方向における距離は±１０ｍｍ以内と規定されることが多い。
【００４６】
なお、上記ｘ軸方向、ｙ軸方向及びｚ軸方向における各マイクロフォン間の距離は、あくまでも一例を示したものであり、携帯端末２が備えるノイズキャンセリング用のプロセッサやノイズキャンセリング機能を実現するためのプログラムによってこれらの距離は異なる。しかしながら、ノイズキャンセリング用のプロセッサやソフトウェアが異なっていても、概ね同様の距離が規定されるため、これらの条件に合致する第２マイクロフォンの位置は、多くの場合、バッテリーパック１が占有する部位に該当する。
【００４７】
背景技術の携帯端末では、例えば図２に示したカメラ部２５やスピーカー２４等を含む、携帯端末２背面の電池蓋２１を避けた端部に第２マイクロフォンを実装することが多かった。
【００４８】
一方、本発明では、バッテリーパック１に内蔵マイクロフォン１３を備え、該内蔵マイクロフォン１３を上記第２マイクロフォンとして用いるため、バッテリーパック１の占有部位に関係なく、ノイズキャンセリング機能のために規定された配置条件で第２マイクロフォン（内蔵マイクロフォン１３）を配置できる。そのため、良好なノイズキャンセリング効果を得ることができる。
【００４９】
また、図９に示すように、例えばバッテリーパック１の両端に第２マイクロフォン（内蔵マイクロフォン１３）をそれぞれ配置すれば、左チャネルの音声と右チャネルの音声とを良好に分離して録音することが可能になる。
【００５０】
また、第２マイクロフォン（内蔵マイクロフォン１３）とバッテリーパック１間、並びにバッテリーパック１と電池蓋２１間を、例えば図３や図４で示したようにテープ部材１７や弾性部材２３を用いて封止すれば、携帯端末２の筐体に第２マイクロフォンを直接取り付ける構成と比べて第２マイクロフォンの遮音性能を向上させることができる。そのため、受話レシーバー３１やスピーカー２４から第２マイクロフォンへの出力音声の回り込みが低減され、エコーやハウリングの発生を防止できる。
【００５１】
さらに、本発明では、第２マイクロフォン（内蔵マイクロフォン１３）がバッテリーパック１の外枠１５で覆われるため、カメラ部２５のズーム操作やオートフォーカス操作時に発生する騒音が該外枠１５で遮音される。そのため、第２マイクロフォン（内蔵マイクロフォン１３）を用いて被写体等から得られる音声を良好に録音できる。
【００５２】
したがって、第１マイクロフォン２８及び第２マイクロフォン（内蔵マイクロフォン１３）を、ノイズキャンセリング機能のために予め規定された配置条件を満たしつつ、高い遮音性能を有してそれぞれ設置することが可能であり、さらには第２マイクロフォンや他の部品のレイアウトの自由度を向上させることができる。
【符号の説明】
【００５３】
１    バッテリーパック
２    携帯端末
１１    バッテリーセル
１２    電池保護回路部
１３    内蔵マイクロフォン
１４    導電パッド
１５    外枠
１６、２２    音孔
１７    テープ部材
２１    電池蓋
２３    弾性部材
２４    スピーカー
２５    カメラ部
２６    防水膜
２７    バネ接点
２８    第１マイクロフォン
２９    表示部
３１    受話レシーバー
【図１】
2014003532.tif 000003
【図２】
2014003532.tif 000004
【図３】
2014003532.tif 000005
【図４】
2014003532.tif 000006
【図５】
2014003532.tif 000007
【図６】
2014003532.tif 000008
【図７】
2014003532.tif 000009
【図８】
2014003532.tif 000010
【図９】
2014003532.tif 000011